(57)【要約】【課題】電荷が戻り防止片に蓄積されて静電気が生じることがあり、電気ノイズが発生することがあった。【解決手段】遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを備える遊技球戻り防止部材において、戻り防止片を導電性を有する部材とするとともに基部から内側レールへと導通するように形成した。内側レールを導電性を有する部材としてグランドに接続しておくと、電荷は戻り防止片から内側レールを通してグランドへと流れる。したがって、戻り防止片に電荷が発生しても、蓄積されず、静電気は生じない。【選択図】     図２
2008207042.tif 000002
【特許請求の範囲】
【請求項１】
遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを備える遊技球戻り防止部材であって、上記戻り防止片は、導電性を有する部材とされるとともに、上記基部から上記内側レールへと導通するように形成されていることを特徴とする遊技球戻り防止部材。
【請求項２】
上記請求項１に記載の遊技球戻り防止部材において、上記戻り防止片の基部には、上記内側レールに接触する接触部が形成されていることを特徴とする遊技球戻り防止部材。
【請求項３】
上記請求項２に記載の遊技球戻り防止部材において、上記接触部は、上記基部の縁部を上記内側レール側に折り返して形成されるとともに、上記内側レールの内側面に当接することを特徴とする遊技球戻り防止部材。
【請求項４】
上記請求項３に記載の遊技球戻り防止部材において、上記接触部は、上記基部における上記遊技盤側の縁部を上記内側レール側に折り返していることを特徴とする遊技球戻り防止部材。
【請求項５】
上記請求項２〜請求項４のいずれかに記載の遊技球戻り防止部材において、上記接触部は、上記基部の縁部を上記先端とは反対側に延出して形成されるとともに、上記内側レールの内側面に当接することを特徴とする遊技球戻り防止部材。
【請求項６】
上記請求項５に記載の遊技球戻り防止部材において、上記接触部は、上記内側レールの内側面と略一致する曲面形状に形成されていることを特徴とする遊技球戻り防止部材。
【請求項７】
上記請求項５または請求項６のいずれかに記載の遊技球戻り防止部材において、上記接触部は、上記基部の縁部を上記先端とは反対側に延出して形成された複数の突出片を備えることを特徴とする遊技球戻り防止部材。
【請求項８】
上記請求項１に記載の遊技球戻り防止部材において、上記取付具に固定されるとともに、上記戻り防止片の基部を上記内側レールに導通させる導通部材が設けられていることを特徴とする遊技球戻り防止部材。
【請求項９】
上記請求項８に記載の遊技球戻り防止部材において、上記導通部材は、上記戻り防止片の基部に接触するとともに、縁部が上記内側レール側に折り返されて上記内側レールの内側面に当接することを特徴とする遊技球戻り防止部材。
【請求項１０】
遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを有する遊技球戻り防止部材が設けられた戻り防止片の静電気防止方法であって、上記戻り防止片を導電性を有する部材で形成するとともに上記基部から上記内側レールへと導通するように形成し、同戻り防止片の静電気を防止することを特徴とする戻り防止片の静電気防止方法。
【発明の詳細な説明】
【技術分野】
【０００１】
本発明は、遊技球戻り防止部材および戻り防止片の静電気防止方法に関し、内側レールの端部に取り付けられる取付具と、この取付具に基部を固定されるとともに同基部とは反対側の先端を外側レールに向けて延出した弾性体からなる戻り防止片とを備える遊技球戻り防止部材および戻り防止片の静電気防止方法に関する。
【背景技術】
【０００２】
従来、遊技機の遊技盤には、発射装置から発射された遊技球を遊技部に誘導する金属製の外側レールと内側レールとが敷設されており、遊技球はこれらの内側レールと外側レールとの間を通って遊技部に放出される。ここで、遊技球が遊技部から発射装置に戻らないようにするため、内側レールの端部に遊技球戻り防止部材が取り付けられる。この種の遊技球戻り防止部材として、図１６に示すように、実開平６−１１７７９号公報に開示されたものが知られている。なお、同図は、遊技球戻り防止部材１を分解状態にて遊技盤側から見て示した分解斜視図である。
【０００３】
図において、遊技球戻り防止部材１は、概略、金属製ばね板材からなる戻り防止片２と、合成樹脂材で形成された取付具３とから構成されている。戻り防止片２は、内側レール４の端部４ａに遊技球戻り防止部材１が取り付けられたとき、先端２ａが基部２ｂから外側レールに向けて延出するように形成されている。取付具３には、戻り防止片２の基部２ｂを差し込んで保持するための凹部３ａや、フランジ付きビス５，５が螺着される筒部３ｂ，３ｂや、内側レール４の端部４ａを差し込む微小幅のスリット３ｃが形成されている。基部２ｂを凹部３ａに差し込んでフランジ付きビス５，５を筒部３ｂ，３ｂに螺着すると、戻り防止片２は取付具３に基部２ｂを固定される。そして、端部４ａにスリット３ｃをはめ合わせると、遊技球戻り防止部材１は内側レール４の端部４ａに取り付けられる。このとき、戻り防止片２は内側レール４から外側レールに向けて先端２ａが延出しているので、遊技部から戻ろうとする遊技球は戻り防止片２により跳ね返される。
【発明の開示】
【発明が解決しようとする課題】
【０００４】
上述した従来の遊技球戻り防止部材においては、以下のような課題があった。すなわち、発射装置から発射された多数の遊技球が戻り防止片に衝突すると、電荷が戻り防止片に蓄積されて静電気が生じることがある。すると、電気ノイズが発生するため、遊技機に設けられた電子機器の動作に影響を与える可能性があった。また、実開平８−５７０号公報に開示されたように、戻り防止片を直接内側レールに取り付けようとすると、内側レールに戻り防止片を係止させる穴を加工する必要が生じる。本発明は、上記課題にかんがみてなされたもので、内側レールに特別な加工を行う必要がなく、戻り防止片に生じる静電気を防ぐことが可能な遊技球戻り防止部材および戻り防止片の静電気防止方法の提供を目的とする。
【課題を解決するための手段】
【０００５】
上記目的を達成するため、請求項１にかかる発明は、遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを備える遊技球戻り防止部材であって、上記戻り防止片は、導電性を有する部材とされるとともに、上記基部から上記内側レールへと導通するように形成されている構成としてある。
【０００６】
上記のように構成した請求項１にかかる発明においては、取付具に基部を固定される戻り防止片は、導電性を有している。この戻り防止片は、基部から内側レールへと導通するように形成されている。すると、戻り防止片に存在する電荷は、同戻り防止片の内部を通って基部から内側レールへと導通可能である。ここで、内側レールを導電性を有する部材としてグランドに接続しておくと、電荷は戻り防止片から内側レールを通してグランドへと流れる。したがって、戻り防止片に電荷が発生しても、蓄積されず、静電気は生じない。その結果、遊技機に設けられた電子機器の動作に影響を与える可能性のある電気ノイズの発生を防ぐことができる。また、戻り防止片は取付具を介して内側レールの端部に取り付けられるので、内側レールに特別な加工を行う必要はない。
【０００７】
ここで、戻り防止片に適用可能な導電性を有する部材は様々である。例えば、板状の金属ばねを適用してもよいし、弾性ゴムや半導体等を適用してもよい。また、戻り防止片を基部から内側レールへと導通するように形成するのは様々可能である。その一例として、請求項２にかかる発明は、上記請求項１に記載の遊技球戻り防止部材において、上記戻り防止片の基部には、上記内側レールに接触する接触部が形成されている構成としてある。上記のように構成した請求項２にかかる発明においては、戻り防止片の基部に形成された接触部は、内側レールに接触する。すると、戻り防止片に発生した電荷は、接触部から内側レールへと移動可能である。したがって、簡易な構成で、戻り防止片に生じる静電気を防ぐことができる。
【０００８】
上記接触部の構成は様々可能であり、その一例として、請求項３にかかる発明は、上記請求項２に記載の遊技球戻り防止部材において、上記接触部は、上記基部の縁部を上記内側レール側に折り返して形成されるとともに、上記内側レールの内側面に当接する構成としてある。上記のように構成した請求項３にかかる発明においては、戻り防止片の基部の縁部を内側レール側に折り返して形成された接触部が内側レールの内側面に当接する。すなわち、簡易な構造で接触部が形成される。
【０００９】
また、基部の縁部を内側レール側に折り返して形成された接触部の具体例として、請求項４にかかる発明は、上記請求項３に記載の遊技球戻り防止部材において、上記接触部は、上記基部における上記遊技盤側の縁部を上記内側レール側に折り返している構成としてある。上記のように構成した請求項４にかかる発明においては、取付具を介して戻り防止片を内側レールの端部に取り付けるとき、折り返して形成された接触部が内側レールに引っかからない。したがって、本遊技球戻り防止部材を内側レールに取り付けやすくなる。
【００１０】
むろん、戻り防止片の基部における遊技盤側の縁部を内側レール側に折り返して接触部とするのは一例に過ぎず、接触部の構成は様々可能である。例えば、基部における遊技盤とは反対側の縁部を内側レール側に折り返して接触部とし、この接触部を内側レールに引っかけるように同内側レールの外側面に当接させ、確実に基部から内側レールへと導通させるようにしてもよい。また、基部における先端とは反対側の縁部を内側レール側に折り返して接触部としてもよい。内側レールはカーブを描くように遊技盤に敷設されているので、基部における遊技盤側の縁部や、遊技盤とは反対側の縁部を折り返して接触部とする場合、接触部分が点となることがある。この場合でも戻り防止片の電荷を内側レールへと移動させる作用があることに変わりはないが、基部における先端と反対側の縁部を折り返して接触部とする場合、接触部分が線となり、より確実に戻り防止片の電荷を内側レールへ移動させることができる。
【００１１】
さらに、接触部の別の一例として、請求項５にかかる発明は、上記請求項２〜請求項４のいずれかに記載の遊技球戻り防止部材において、上記接触部は、上記基部の縁部を上記先端とは反対側に延出して形成されるとともに、上記内側レールの内側面に当接する構成としてある。上記のように構成した請求項５にかかる発明においては、戻り防止片の基部の縁部を先端とは反対側に延出して形成された接触部が内側レールの内側面に当接する。このとき、接触部分が線となり、確実に戻り防止片の電荷を内側レールへ移動させることができる。したがって、簡易な構造で接触部が形成されるとともに、確実に戻り防止片に生じる静電気を防ぐことができる。
【００１２】
また、基部の縁部を先端とは反対側に延出して形成された上記接触部の形状の一例として、請求項６にかかる発明は、上記請求項５に記載の遊技球戻り防止部材において、上記接触部は、上記内側レールの内側面と略一致する曲面形状に形成されている構成としてある。上記のように構成した請求項６にかかる発明においては、接触部の曲面と内側レールの内側面とが略一致しているので、接触部と内側レールとの接触面積が大きくなる。したがって、より確実に戻り防止片の電荷を内側レールへ移動させることができ、戻り防止片に生じる静電気を防ぐことができる。
【００１３】
さらに、同接触部の形状の一例として、請求項７にかかる発明は、上記請求項５または請求項６のいずれかに記載の遊技球戻り防止部材において、上記接触部は、上記基部の縁部を上記先端とは反対側に延出して形成された複数の突出片を備える構成としてある。上記のように構成した請求項７にかかる発明においては、戻り防止片の基部の縁部を先端とは反対側に延出して形成された複数の突出片が内側レールの内側面に当接する。このとき、それぞれの突出片が内側レールの内側面に当接するので、接触箇所は複数存在する。したがって、より確実に戻り防止片の電荷を内側レールへ移動させることができ、戻り防止片に生じる静電気を防ぐことができる。なお、接触部の構成は上記以外にも様々可能である。例えば、接触部を網目状にして、接触部と内側レールとの接触部分を複数箇所にさせる構成としてもよい。また、請求項４に記載した構成の接触部と請求項５に記載した構成の接触部の両方を戻り防止片に形成し、接触箇所を多くする構成としてもよい。
【００１４】
ところで、戻り防止片の基部から内側レールへと導通させるには、上述した種々の接触部を設ける以外にも可能である。その一例として、請求項８にかかる発明は、上記請求項１に記載の遊技球戻り防止部材において、上記取付具に固定されるとともに、上記戻り防止片の基部を上記内側レールに導通させる導通部材が設けられている構成としてある。上記のように構成した請求項８にかかる発明においては、取付具に固定された導通部材は、戻り防止片の基部を内側レールに導通させる。すなわち、戻り防止片に発生した電荷は、導通部材を介して内側レールへと移動可能である。したがって、戻り防止片に生じる静電気を防ぐことができる。この場合も、戻り防止片は取付具を介して内側レールの端部に取り付けられるので、内側レールに特別な加工を行う必要はない。
【００１５】
ここで、導通部材の一例として、請求項９にかかる発明は、上記請求項８に記載の遊技球戻り防止部材において、上記導通部材は、上記戻り防止片の基部に接触するとともに、縁部が上記内側レール側に折り返されて上記内側レールの内側面に当接する構成としてある。上記のように構成した請求項９にかかる発明においては、戻り防止片の基部に接触した導通部材の縁部が内側レール側に折り返され、内側レールの内側面に当接する。すなわち、簡易な構造で導通部材が構成される。なお、導通部材は、遊技盤側の縁部を内側レール側に折り返して形成されてもよいし、戻り防止片の先端とは反対側の縁部を内側レール側に折り返して形成されてもよいし、戻り防止片の先端とは反対側に延出して形成されてもよく、様々な構成が可能である。
【００１６】
また、戻り防止片から内側レールへと移動する電荷を使用する構成としてもよい。例えば、上記請求項８に記載の遊技球戻り防止部材において、上記導通部材を発光体で構成してもよい。この場合、戻り防止片に発生した電荷は、発光体を介して内側レールに移動可能である。ここで、内側レールをグランドに接続しておくと、発光体に電流が流れ、発光体は光を発する。したがって、本遊技球戻り防止部材が設けられる遊技盤の見た目を向上させることができる。
【００１７】
なお、発光体には、ネオンランプや発光ダイオード等、様々なものを採用することが可能である。また、発光体に電流を流すために一定の電圧を必要とする場合、戻り防止片を通過した遊技球の数に応じて発光体を点滅させることができる。むろん、導通部材を発光体で構成するのは一例に過ぎない。例えば、導通部材を発光しないダイオードやその他の半導体で構成してもよいし、ブザーで構成してもよく、様々な構成が可能である。これらの場合でも、戻り防止片に生じる静電気を防ぐことができる。
【００１８】
さらに、上記請求項８に記載の遊技球戻り防止部材において、上記導通部材を、変形可能であるとともに、上記戻り防止片の基部と上記内側レールとの間に介装された導電性弾性部材で構成してもよい。この場合、戻り防止片に発生した電荷は、戻り防止片の基部と内側レールとの間に介装された導電性弾性部材を介して内側レールへと移動可能である。ここで、導電性弾性部材は変形可能であるので、戻り防止片や内側レールとの接触面積が大きくなる。したがって、より確実に戻り防止片の電荷を内側レールへ移動させることができ、戻り防止片に生じる静電気を防ぐことができる。
【００１９】
ところで、取付具は、戻り防止片の基部を固定して内側レールの端部に取り付けることができればよい。この取付具の構成として、例えば、上記請求項１に記載の遊技球戻り防止部材において、上記取付具を、上記戻り防止片の基部を上記内側レールに導通させる導通部材で形成する構成としてもよい。この場合、戻り防止片に発生した電荷は、戻り防止片の基部を固定した取付具を介して内側レールへと移動可能である。すなわち、取付具を導通部材で形成しても、戻り防止片の電荷を内側レールへ移動させることができ、より戻り防止片に生じる静電気を防ぐことができる。
【００２０】
ここで、導通部材の素材として、例えば、上記導通部材を導電ゴムまたは導電性高分子で構成してもよい。この場合、戻り防止片に発生した電荷は、導電ゴムまたは導電性高分子を介して内側レールへと移動可能である。
【００２１】
なお、導電性高分子は電流を流すことができればよく、導電性ポリアセチレン等、様々なものを適用することができる。むろん、導通部材の素材には、上記導電ゴムや導電性高分子以外にも、導電スポンジ等、様々なものを採用することが可能である。
【００２２】
上述のように、戻り防止片の静電気を防止する際の手法は、必ずしも実体のある遊技球戻り防止部材に限られる必要もない。そこで、その一例として、請求項１０にかかる発明は、遊技盤に敷設された内側レールの端部に取り付けられる取付具と、この取付具に基部を固定されるとともに同基部とは反対側の先端を同内側レールの外側に敷設された外側レールに向けて延出した弾性体からなる戻り防止片とを有する遊技球戻り防止部材が設けられた戻り防止片の静電気防止方法であって、上記戻り防止片を導電性を有する部材で形成するとともに上記基部から上記内側レールへと導通するように形成し、同戻り防止片の静電気を防止する構成としてある。すなわち、必ずしも実体のある遊技球戻り防止部材に限らず、戻り防止片の静電気防止方法としても有効であり、請求項２〜請求項９に記載された構成を当該方法に対応させることが可能であることは言うまでもない。
【発明の効果】
【００２３】
以上説明したように、本発明は、内側レールに特別な加工を行う必要がなく、戻り防止片に生じる静電気を防ぐことが可能な遊技球戻り防止部材を提供することができる。また、上記請求項２にかかる発明によれば、簡易な構成で、戻り防止片に生じる静電気を防ぐことが可能となる。さらに、上記請求項３にかかる発明によれば、簡易な構造で接触部を形成することができる。
【００２４】
さらに、上記請求項４にかかる発明によれば、本遊技球戻り防止部材を内側レールに取り付けるのが容易になる。さらに、上記請求項５にかかる発明によれば、簡易な構造で接触部を形成することができるとともに、より確実に戻り防止片に生じる静電気を防ぐことが可能となる。
【００２５】
さらに、上記請求項６、請求項７にかかる発明によれば、より確実に戻り防止片に生じる静電気を防ぐことができる。さらに、上記請求項８にかかる発明によれば、内側レールに特別な加工を行う必要がなく、戻り防止片に生じる静電気を防ぐことが可能な遊技球戻り防止部材の別の一例を提供することができる。
【００２６】
さらに、上記請求項９にかかる発明によれば、簡易な構造で導通部材を構成することができる。さらに、上記請求項１０にかかる発明によれば、内側レールに特別な加工を行う必要がなく、戻り防止片に生じる静電気を防ぐことが可能な戻り防止片の静電気防止方法を提供することができる。
【発明を実施するための最良の形態】
【００２７】
以下、図面にもとづいて本発明の実施形態を説明する。図１は、本発明の第一の実施形態にかかる遊技球戻り防止部材３０が取り付けられた遊技機を正面から見て示している。同図において、遊技機の正面には、略長方形の枠状に形成された前面枠１１が装着され、この前面枠１１の内側に略長方形の枠状に形成された金枠１２が設けられている。金枠１２の上方側には平板形状のガラス扉１３が取り付けられ、下方側には平板形状の前面板１４が取り付けられている。ガラス扉１３の後方には遊技盤１５が配置され、ガラス扉１３を介して視認可能となっている。遊技盤１５の前面には金属製のガイドレール１６が敷設されており、このガイドレール１６で囲まれる遊技部１７に、複数の風車１７ａや普通入賞口１７ｂ、遊技球が入賞する入口の大きさが変化する可変入賞口１７ｃ、遊技球が入賞する入口が開閉される大入賞口１７ｄ等が設けられている。また、遊技部１７の略中央部に開口が設けられ、大当たり状態等の状態を表示する表示装置１７ｅが取り付けられている。
【００２８】
前面板１４の前面には、上皿１４ａが取り付けられ、打球される遊技球が収容されるようになっている。また、金枠１２の下方には、上皿１４ａから供給される遊技球を打球する強さを変えるハンドル１８や、余剰球を収容する下皿１９が取り付けられている。なお、前面枠１１の後側には、図示しない景品玉タンクや各種のパチンコ球の処理機構が取り付けられている。
【００２９】
ガイドレール１６は、内側レール２１と、この内側レール２１の外側に敷設された外側レール２２とから構成されている。遊技部１７の左上となる内側レール２１の端部には、外側レール２２との間で放出口２３が形成されている。この内側レール２１の端部に、本発明にいう遊技球戻り防止部材３０が取り付けられている。そして、遊技球戻り防止部材３０の戻り防止片３１は、内側レール２１の端部から外側レール２２に向けて略上方に先端が延出しているので、遊技球が通過しないときには放出口２３を閉じた状態にさせている。図示しない発射装置から発射された遊技球は、これらの内側レール２１と外側レール２２との間を移動し、遊技球戻り防止部材３０の戻り防止片３１を通過して遊技部１７に放出される。戻り防止片３１は金属製の弾性体であり、遊技球が衝突した際に内側レール２１方向に撓んで遊技球を通過させる。なお、戻り防止片３１を通過した遊技球は、速度が大きいとき、遊技部１７の右上に設けられた返しゴム２４に衝突して進行方向を変えられる。一方、遊技部１７から放出口２３に向かって移動する遊技球は、内側レール２１と外側レール２２との間を塞ぐように配置された戻り防止片３１により跳ね返される。したがって、遊技部１７に放出された遊技球は発射装置に戻らない。
【００３０】
図２は、本発明の第一の実施形態にかかる遊技球戻り防止部材３０を分解状態にて遊技盤１５側から見て示した分解斜視図である。すなわち、図の上側が遊技盤１５側であり、下側がガラス扉１３側となる。なお、遊技盤１５については図示を省略している。また、本実施形態では、遊技盤１５の内側方向を単に内側方向、遊技盤１５の外側方向を単に外側方向として記載する。図において、遊技球戻り防止部材３０は、概略、金属製ばね板材すなわち導電性を有する弾性体からなる戻り防止片３１と、合成樹脂材で形成された取付具３２とから構成されている。戻り防止片３１は、内側レール２１の端部２１ａの所定位置とされたとき、先端３１ａが基部３１ｂから外側レール２２に向けて延出するように形成されている。取付具３２は、内側レール２１よりも若干幅広に形成され、遊技盤１５と対向する側の両端部にはそれぞれフランジ部３２ａ，３２ａが張り出している。同フランジ部３２ａ，３２ａには、遊技盤１５に形成された穴にはめ合わせて取付具３２を仮止めするための突起３２ｂ，３２ｂや、遊技盤１５にビス止めにて取付具３２を固定するための貫通孔３２ｃ，３２ｃが形成されている。また、取付具３２には、戻り防止片３１の基部３１ｂを差し込んで保持するための凹部３２ｄや、フランジ付きビス３３が螺着される筒部３２ｅや、内側レール２１の端部２１ａを差し込む微小幅のスリット３２ｆが形成されている。このスリット３２ｆの先端には、内側レール２１に対する差し込み位置を規定するためのストッパ凸部３２ｇが同スリット３２ｆと直交する方向に沿って形成されている。
【００３１】
凹部３２ｄは、遊技盤１５側の方向に開口するとともに、遊技球を放出する側の面にも開口３２ｈが形成されている。この開口３２ｈは、戻り防止片３１が必要な撓み変形十分に許容する開口幅に設定されている。戻り防止片３１は、凹部３２ｄ内に差し込まれる基部３１ｂの先端３１ａとは反対側の端部３１ｃがほぼ直角に内側方向に折り曲げられている。基部３１ｂを凹部３２ｄに差し込むと、端部３１ｃは、凹部３２ｄの側面における開口３２ｈとは反対側に形成された掛止部３２ｉに掛止される。その後、凹部３２ｄの開口に蓋３４を被せ、蓋３４に形成された貫通孔３４ａにフランジ付きビス３３のねじ部３３ａを貫通させ、フランジ付きビス３３を筒部３２ｅに螺着すると、戻り防止片３１は取付具３２に基部３１ｂを固定される。そして、取付具３２を若干ガラス扉１３側の位置から端部２１ａの方向へと移動させ、同端部２１ａにスリット３２ｆをはめ合わせると、図１で示したように、遊技球戻り防止部材３０は内側レール２１の端部２１ａに取り付けられる。
【００３２】
このときの遊技球戻り防止部材３０の状態を図３の斜視図に示している。なお、遊技盤１５の図示は省略している。同図において、戻り防止片３１の先端３１ａ側は、開口３２ｈより突出する部分から放出口２３を塞ぐ方向へ緩やかに折れ曲がっている。すなわち、戻り防止片３１は、放出口２３が閉じた状態となるように組み付けられている。なお、戻り防止片３１は、発射された遊技球の通過に支障を来さない程度の低い剛性のものが使用されているが、遊技盤１５からの戻り球が当たったときの衝撃には十分に抗することができる程度の剛性とされている。
【００３３】
ところで、発射装置から発射された多数の遊技球が戻り防止片３１に衝突すると、電荷が戻り防止片３１に蓄積されて静電気が生じることがある。蓄積される電荷は、遊技盤１５の材質等により、正電荷の場合もあれば、負電荷の場合もある。すると、電気ノイズが発生するため、遊技機に設けられた図示しない電子機器の動作に影響を与える可能性がある。一方、戻り防止片３１を直接内側レール２１に取り付けようとすると、内側レール２１に戻り防止片を係止させる穴を加工する必要が生じる。そこで、本実施形態では、金属製の内側レール２１をグランドに接続するとともに、戻り防止片３１の基部３１ｂから内側レール２１へと導通するように同基部３１ｂに接触部３１ｄを形成している。
【００３４】
この接触部３１ｄは、戻り防止片３１の基部３１ｂにおける遊技盤１５側の縁部３１ｅを外側、すなわち、内側レール２１側に折り返している。戻り防止片３１を取付具３２に固定すると、図４の斜視図に示すように、接触部３１ｄは凹部３２ｄにおける内側レール２１側の縁部３２ｊを乗り越えた状態となる。そして、図３で示したように取付具３２を内側レール２１の端部２１ａに取り付けると、図５の断面図に示すように、戻り防止片３１の基部３１ｂに形成された接触部３１ｄは内側レール２１の内側面２１ｂに当接する。なお、図５は、内側レール２１の端部２１ａに取り付けられた遊技球戻り防止部材３０の状態を図３のＡ−Ａの位置から見て示した断面図である。すなわち、簡易な構造にて、戻り防止片３１の基部３１ｂから内側レール２１へと導通可能となる。
【００３５】
ここで、グランドに接続された内側レール２１は導電性を有しており、戻り防止片３１も導電性を有する部材で形成されている。すると、図６の矢印に示すように、戻り防止片３１に存在する電荷は、同戻り防止片３１の内部を先端３１ａから基部３１ｂの方向へ移動し、接触部３１ｄから内側レール２１の内側面２１ｂに引き渡された後、内側レール２１の内部を端部２１ａからグランドの接続部へと移動し、グランドへと流れる。すなわち、戻り防止片３１に発生する電荷は内側レール２１を介してグランドへと流れ出ていく。なお、図６は、内側レール２１の端部２１ａに取り付けられた遊技球戻り防止部材３０を取付具３２等を透視して遊技盤１５側から垂直方向に見て示している。したがって、戻り防止片３１に電荷が発生しても、蓄積されず、静電気は生じない。その結果、電気ノイズの発生を防ぐことができ、遊技機に設けられた電子機器の動作に影響を与えない。また、戻り防止片３１は取付具３２を介して内側レール２１の端部２１ａに取り付けられるので、内側レール２１に特別な加工を行う必要はない。さらに、接触部３１ｄは内側レール２１に引っかからない向きに折り返して形成されているので、遊技球戻り防止部材３０を内側レール２１に取り付けやすい。
【００３６】
ところで、内側レール２１は遊技盤１５上でカーブを描くように敷設されているので、戻り防止片３１の基部３１ｂにおける遊技盤１５側の縁部３１ｅを折り返して接触部３１ｄとする場合、接触部分が点となることがある。そこで、図７に示す戻り防止片４１のように、基部４１ｂにおける先端４１ａとは反対側の縁部４１ｅを内側レール２１側に折り返して接触部４１ｄとしてもよい。なお、図示しない取付具３２の縁部３２ｊには、縁部４１ｅの形状に対応した切り欠き部が形成されている。この場合、接触部分が線となり、より確実に戻り防止片の電荷を内側レールへ移動させることができる。むろん、図２の戻り防止片３１を用いる場合であっても、戻り防止片３１に存在する電荷を内側レール２１へと移動させる作用があることに変わりはない。
【００３７】
また、図８に示す遊技球戻り防止部材５０のように、戻り防止片５１の基部５１ｂにおける先端５１ａとは反対側の縁部５１ｅを延出して接触部５１ｄとしてもよい。なお、取付具５２の縁部５２ｊには、戻り防止片５１における縁部５１ｅから接触部５１ｄへ繋がる中間部５１ｆの形状に合わせた切り欠き部５２ｋが形成されている。戻り防止片５１を取付具５２に固定すると、接触部５１ｄは縁部５２ｊよりも内側レール２１側となる。そして、取付具５２を内側レール２１の端部２１ａに取り付けると、戻り防止片５１の基部５１ｂに形成された接触部５１ｄは内側レール２１の内側面２１ｂに当接する。この場合も、接触部分が線となり、より確実に戻り防止片の電荷を内側レールへ移動させることができる。
【００３８】
ここで、図９に示す戻り防止片６１のように、接触部６１ｄを内側レール２１の内側面２１ｂと略一致する曲面形状に形成してもよい。すると、接触部６１ｄと内側レール２１との接触面積が大きくなるので、より確実に戻り防止片の電荷を内側レールへ移動させることができ、戻り防止片に生じる静電気を防ぐことができる。
【００３９】
また、図１０に示す戻り防止片７１のように、接触部を基部７１ｂにおける先端７１ａとは反対側の縁部７１ｅを延出した複数の突出片７１ｄ（図では、３本）で構成してもよい。戻り防止片７１が内側レール２１の端部２１ａの所定位置に取り付けられたとき、複数の突出片７１ｄが内側レール２１の内側面２１ｂに当接する。すなわち、接触箇所は複数あり、より確実に戻り防止片の電荷を内側レールへ移動させることができ、戻り防止片に生じる静電気を防ぐことができる。
【００４０】
ところで、戻り防止片の基部から内側レールへと導通させるには、上述した種々の接触部を設ける以外にも可能である。図１１は、本発明の第二の実施形態にかかる遊技球戻り防止部材８０を分解状態にて遊技盤側から見て示した分解斜視図である。図において、戻り防止片８１には接触部が設けられておらず、代わりに、取付具８２に固定されて戻り防止片８１の基部８１ｂを内側レール２１に導通させる導通部材８５が設けられている。導通部材８５は、ガラス扉１３側に開口部を向けて断面が略コ字形となるように金属製ばね板材から形成されている。この導通部材８５は、取付具８２に固定されたとき、内側の接触面８５ａにて基部８１ｂの外側に接触する。また、遊技球戻り防止部材８０が内側レール２１の端部２１ａに取り付けられたとき、接触面８５ａにおける遊技盤１５側の縁部８５ｂが内側レール２１側に折り返されて形成された当接面８５ｃが内側レール２１の内側面２１ｂに当接する。
【００４１】
戻り防止片３１の基部８１ｂと導通部材８５の接触面８５ａを凹部８２ｄに差し込み、凹部８２ｄの開口に蓋８４を被せ、フランジ付きビス８３を筒部８２ｅに螺着すると、戻り防止片８１と導通部材８５とは取付具８２に基部８１ｂや接触面８５ａが固定される。そして、取付具８２のスリット８２ｆを内側レール２１の端部２１ａにはめ合わせると、遊技球戻り防止部材８０は同端部２１ａに取り付けられる。このときの遊技球戻り防止部材８０の外観は、概略、図４で示した遊技球戻り防止部材３０と同様になる。
【００４２】
すなわち、取付具８２に固定された導通部材８５は、戻り防止片８１の基部８１ｂを内側レール２１に導通させる。すると、戻り防止片に発生した電荷は、簡易な構造ながら、導通部材を介して内側レールへと移動可能である。この場合も、戻り防止片は取付具を介して内側レールの端部に取り付けられるので、内側レールに特別な加工を行う必要はない。
【００４３】
なお、導通部材は様々な構成が可能である。例えば、図１２に示す遊技球戻り防止部材９０のように、戻り防止片９１の先端９１ａとは反対側に開口部を向けて断面が略コ字形となるように金属製ばね板材から形成された導通部材９５を用いてもよい。取付具９２の縁部９２ｊには、導通部材９５の閉口側の基底部９５ｄの形状に対応した切り欠き部９２ｋが形成されている。戻り防止片９１と導通部材９５とを取付具９２に固定し、取付具９２を内側レール２１の端部２１ａに取り付けると、導通部材９５は外側の当接面９５ｃにて内側レール２１の内側面２１ｂに当接する。この場合も、取付具９２に固定された導通部材９５は、戻り防止片９１の基部９１ｂを内側レール２１に導通させる。
【００４４】
また、図１３に示す遊技球戻り防止部材１３０のように、導通部材として、戻り防止片１３１の基部１３１ｂを内側レール２１に導通させる変形可能な導電性弾性部材１３５を用いてもよい。なお、導電性弾性部材１３５として略平板形状に形成された導電ゴムを使用している。図では、便宜上、導電性弾性部材１３５の表面に多数の点を付している。ここで、導電性弾性部材１３５としては、導電ゴム以外にも、導電性ポリアセチレン、導電性ポリピロール、導電性ポリチオフェン等の導電性高分子を使用してもよいし、多孔質の導電スポンジを使用してもよい。
【００４５】
戻り防止片１３１には、基部１３１ｂにおける先端１３１ａとは反対側の縁部１３１ｅを延出して導電性弾性部材１３５と接触する接触面１３１ｄが形成されている。なお、取付具１３２の縁部１３２ｊには、戻り防止片１３１における縁部１３１ｅから接触面１３１ｄへ繋がる中間部１３１ｆの形状に合わせた切り欠き部１３２ｋが形成されている。また、切り欠き部１３２ｋから開口１３２ｈとは反対側であって内側レール２１側の面を導電性弾性部材１３５の形状に合わせて切削した切削部１３２ｌも形成されている。戻り防止片１３１を取付具１３２に固定し、導電性弾性部材１３５を切削部１３２ｌにはめ込んで取付具１３２を内側レール２１の端部２１ａに取り付けると、戻り防止片１３１の接触面１３１ｄと内側レール２１の内側面２１ｂとの間に導電性弾性部材１３５が挟まれた状態となる。
【００４６】
すると、戻り防止片１３１に発生した電荷は、基部１３１ｂに形成された接触面１３１ｄから導電性弾性部材１３５を介して内側レール２１へと移動する。ここで、導電性弾性部材１３５は変形可能であるので、戻り防止片１３１や内側レール２１との接触面積が大きい。したがって、より確実に戻り防止片の電荷を内側レールへ移動させることができ、戻り防止片に生じる静電気を防ぐことができる。
【００４７】
また、戻り防止片から内側レールへと移動する電荷を用いて発光させる構成としてもよい。図１４は、第三の実施形態にかかる遊技球戻り防止部材１４０を分解状態にて遊技盤側から見て示した分解斜視図である。図において、導通部材として、ネオンランプ１４５を使用している。このネオンランプ１４５は、発光部１４５ａが遊技盤１５の内側方向に向けられるとともに、略Ｌ字形の電極１４５ｂ，１４５ｃが外側方向に突出して戻り防止片１４１の先端１４１ａ方向に折れ曲がっている。取付具１４２には開口１４２ｈとは反対側面に電極挿入口１４２ｌが形成されており、ネオンランプ１４５において遊技盤１５の内側となる電極１４５ｂが電極挿入口１４２ｌに挿入されて戻り防止片１４１の基部１４１ｂに接触するようになっている。一方、外側となる電極１４５ｃは取付具１４２と内側レール２１の内側面２１ｂとの間に挟まれて同内側面２１ｂに接触するようになっている。
【００４８】
電極挿入口１４２ｌに電極１４５ｂを挿入し、戻り防止片１４１の基部１４１ｂを凹部１４２ｄに差し込み、凹部１４２ｄの開口に蓋１４４を被せ、フランジ付きビス１４３にてねじ止めを行うと、電極１４５ｂは基部１４１ｂに接触して取付具１４２に固定される。そして、取付具１４２を内側レール２１の端部２１ａに取り付けると、電極１４５ｃは内側レール２１の内側面２１ｂに接触して同内側面２１ｂと取付具１４２との間で固定される。すると、戻り防止片１４１に発生した電荷は、ネオンランプ１４５を介して内側レール２１に移動可能となる。すなわち、戻り防止片１４１に電荷が発生すると、ネオンランプ１４５に電流が流れ、発光部１４５ａから光が発せられる。したがって、本遊技球戻り防止部材１４０が設けられる遊技盤の見た目を向上させることができる。
【００４９】
ところで、戻り防止片の基部を固定して内側レールの端部に取り付ける取付具を利用して、戻り防止片に生じる静電気を防ぐ構成としてもよい。図１５は、第四の実施形態にかかる遊技球戻り防止部材１５０を分解状態にて遊技盤側から見て示した分解斜視図である。図において、取付具１５２は、戻り防止片１５１の基部１５１ｂを内側レール２１に導通させる導電性高分子である導電性ポリアセチレン（導通部材）で形成されている。この導電性ポリアセチレンは、例えば特公昭４８−３２５８１号公報に開示されているように、遷移金属化合物と有機金属化合物を含む重合触媒溶液とアセチレン気体とを用い、自由表面近傍の界面において高重合反応を行うことにより直接作成された繊維状アセチレン高重合体を成形したものである。
【００５０】
すると、戻り防止片１５１に発生した電荷は、戻り防止片１５１の基部１５１ｂを固定した取付具１５２を介して内側レール２１へと移動する。ここで、導電性ポリアセチレンは弾性を有するので、取付具１５２と戻り防止片１５１や内側レール２１との接触面積は大きい。したがって、より確実に戻り防止片の電荷を内側レールへ移動させることができ、戻り防止片に生じる静電気を防ぐことができる。なお、取付具１５２には、導電性ポリアセチレンのような導電性高分子の他、上述のように、導電ゴムや導電スポンジ等を適用することができる。
【００５１】
以上説明したように、本発明によると、戻り防止片に存在する電荷は、同戻り防止片の内部を通って基部から内側レールへと流れ出ていく。その際、戻り防止片は取付具を介して内側レールの端部に取り付けられるので、内側レールに特別な加工を行う必要はない。したがって、内側レールに特別な加工を行う必要がなく、戻り防止片に生じる静電気を防ぐことが可能な遊技球戻り防止部材および戻り防止片の静電気防止方法を提供することができる。
【図面の簡単な説明】
【００５２】
【図１】本発明の第一の実施形態にかかる遊技球戻り防止部材が取り付けられた遊技機を正面から見て示す正面図である。
【図２】遊技球戻り防止部材を分解状態にて遊技盤側から見て示した分解斜視図である。
【図３】内側レールの端部に取り付けられた遊技球戻り防止部材の状態を示す斜視図である。
【図４】取付具に戻り防止片を固定したときの遊技球戻り防止部材の状態を示す斜視図である。
【図５】内側レールの端部に取り付けられた遊技球戻り防止部材の状態を図３のＡ−Ａの位置から見て示した断面図である。
【図６】内側レールの端部に取り付けられた遊技球戻り防止部材を取付具等を透視して遊技盤側から垂直方向に見て示した部分透視図である。
【図７】変形例にかかる遊技球戻り防止部材の戻り防止片の外観を示す斜視図である。
【図８】別の変形例にかかる遊技球戻り防止部材を分解状態にて遊技盤側から見て示した分解斜視図である。
【図９】別の変形例にかかる遊技球戻り防止部材の戻り防止片の外観を示す斜視図である。
【図１０】別の変形例にかかる遊技球戻り防止部材の戻り防止片の外観を示す斜視図である。
【図１１】第二の実施形態にかかる遊技球戻り防止部材を分解状態にて遊技盤側から見て示した分解斜視図である。
【図１２】変形例にかかる遊技球戻り防止部材を分解状態にて遊技盤側から見て示した分解斜視図である。
【図１３】別の変形例にかかる遊技球戻り防止部材を分解状態にて遊技盤側から見て示した分解斜視図である。
【図１４】第三の実施形態にかかる遊技球戻り防止部材を分解状態にて遊技盤側から見て示した分解斜視図である。
【図１５】第四の実施形態にかかる遊技球戻り防止部材を分解状態にて遊技盤側から見て示した分解斜視図である。
【図１６】従来例にかかる遊技球戻り防止部材を分解状態にて遊技盤側から見て示した分解斜視図である。
【符号の説明】
【００５３】
２１…内側レール
２１ａ…端部
２１ｂ…内側面
２２…外側レール
２２ａ…外側面
２３…放出口
２４…返しゴム
３０…遊技球戻り防止部材
３１…戻り防止片
３１ａ…先端
３１ｂ…基部
３１ｃ…端部
３１ｄ…接触部
３１ｅ…縁部
３２…取付具
４１ｄ，５１ｄ，６１ｄ…接触部
７１ｄ…複数の突出片
８５，９５…導通部材
１３５…導電性弾性部材
１４５…ネオンランプ
１５２…取付具
【図１】
2008207042.tif 000003
【図２】
2008207042.tif 000004
【図３】
2008207042.tif 000005
【図４】
2008207042.tif 000006
【図５】
2008207042.tif 000007
【図６】
2008207042.tif 000008
【図７】
2008207042.tif 000009
【図８】
2008207042.tif 000010
【図９】
2008207042.tif 000011
【図１０】
2008207042.tif 000012
【図１１】
2008207042.tif 000013
【図１２】
2008207042.tif 000014
【図１３】
2008207042.tif 000015
【図１４】
2008207042.tif 000016
【図１５】
2008207042.tif 000017
【図１６】
2008207042.tif 000018